(57)【要約】【課題】冷蔵庫の棚を面発光させる構成を採用した場合に、庫内の物品を見やすくする。【解決手段】冷蔵庫は、物品を収容する収容室と、収容室の室内に設けられて物品が載せられるとともに、入射した光を内部にて導光し発光領域にて外部に光を出す棚部４と、棚部の左右方向における端部の少なくとも一方側に設けられ、棚部４に対して光を照射する光照射部４１１とを備える。【選択図】図２
2018189297.tif 000002
【特許請求の範囲】
【請求項１】
物品を収容する収容室と、
前記収容室の室内に設けられて物品が載せられるとともに、入射した光を内部にて導光し発光領域にて外部に光を出す棚部と、
前記棚部の左右方向における端部の少なくとも一方側に設けられ、当該棚部に対して光を照射する光照射部と、
を備えることを特徴とする冷蔵庫。
【請求項２】
前記棚部は、前記光照射部が照射する光に対して透光性を有する樹脂材によって構成された導光部材と、当該導光部材の上側にて当該導光部材に積層されるガラス部材とを有する請求項１に記載の冷蔵庫。
【請求項３】
前記ガラス部材と前記導光部材との間に当該導光部材よりも屈折率が低い物質を含む中間層を有する請求項２に記載の冷蔵庫。
【請求項４】
前記中間層は、前記導光部材よりも屈折率が低く、前記ガラス部材と当該導光部材とを接着する接着層を有する請求項３に記載の冷蔵庫。
【請求項５】
前記接着層は、前記ガラス部材または前記導光部材の何れかの全面に形成されている請求項４に記載の冷蔵庫。
【請求項６】
前記接着層は、前記ガラス部材または前記導光部材の何れかの縁部に沿って形成されている請求項４に記載の冷蔵庫。
【請求項７】
前記ガラス部材は、前記導光部材よりも厚い請求項２に記載の冷蔵庫。
【請求項８】
前記棚部は、前記収容室にて移動可能に設けられ、
前記収容室は、並行の２線を有して非接触の給電が可能な給電部を有し、
前記光照射部は、前記棚部に設けられるとともに前記２線が生じさせる磁界によって発生する誘導起電力が給電される請求項１に記載の冷蔵庫。
【請求項９】
物品を収容する収容室と、
前記収容室の室内に設けられ物品が載せられるとともに、入射した光を内部にて導光し発光領域にて外部に光を出す棚部と、
前記収容室の左右方向に沿った向きの光を前記棚部に照射する光照射部と、
を備えることを特徴とする冷蔵庫。
【発明の詳細な説明】
【技術分野】
【０００１】
本発明は、物品を冷蔵する冷蔵庫に関する。
【背景技術】
【０００２】
例えば特許文献１には、冷蔵庫等の庫内に設置されて扉が開けられた際に点灯して照明する冷蔵庫等の照明装置において、光源と、この光源からの光を一端部から内部に導入し、導入した光の少なくとも一部を対向する他端部に向けて内部を透過させることにより面照明する樹脂製の導光板とを備えた照明装置が開示されている。
【先行技術文献】
【特許文献】
【０００３】
【特許文献１】特開２０００−２５８０５１号公報
【発明の概要】
【発明が解決しようとする課題】
【０００４】
ところで、冷蔵庫の棚を面発光させる構成を採用した場合において、棚を面発光させるための光照射部の光の照射方向がユーザに向けた方向であると、ユーザが光照射部の光を眩しく感じ、庫内の物品が見えづらくなるおそれがあった。
【０００５】
本発明は、冷蔵庫の棚を面発光させる構成を採用した場合に、庫内の物品を見やすくすることを目的とする。
【課題を解決するための手段】
【０００６】
上記の目的を達成する本発明は、物品を収容する収容室と、前記収容室の室内に設けられて物品が載せられるとともに、入射した光を内部にて導光し発光領域にて外部に光を出す棚部と、前記棚部の左右方向における端部の少なくとも一方側に設けられ、当該棚部に対して光を照射する光照射部と、を備えることを特徴とする冷蔵庫である。
そして、前記棚部は、前記光照射部が照射する光に対して透光性を有する樹脂材によって構成された導光部材と、当該導光部材の上側にて当該導光部材に積層されるガラス部材とを有する。
さらに、前記ガラス部材と前記導光部材との間に当該導光部材よりも屈折率が低い物質を含む中間層を有する。
また、前記中間層は、前記導光部材よりも屈折率が低く、前記ガラス部材と当該導光部材とを接着する接着層を有する。
そして、前記接着層は、前記ガラス部材または前記導光部材の何れかの全面に形成されている。
また、前記接着層は、前記ガラス部材または前記導光部材の何れかの縁部に沿って形成されている。
ここで、前記ガラス部材は、前記導光部材よりも厚い。
そして、前記棚部は、前記収容室にて移動可能に設けられ、前記収容室は、並行の２線を有して非接触の給電が可能な給電部を有し、前記光照射部は、前記棚部に設けられるとともに前記２線が生じさせる磁界によって発生する誘導起電力が給電される。
また、上記の目的を達成する本発明は、物品を収容する収容室と、前記収容室の室内に設けられ物品が載せられるとともに、入射した光を内部にて導光し発光領域にて外部に光を出す棚部と、前記収容室の左右方向に沿った向きの光を前記棚部に照射する光照射部と、を備えることを特徴とする冷蔵庫である。
【発明の効果】
【０００７】
本発明によれば、冷蔵庫の棚を面発光させる構成を採用した場合に、庫内の物品を見やすくできる。
【図面の簡単な説明】
【０００８】
【図１】本実施形態の冷蔵庫の全体構成図である。
【図２】本実施形態の棚部の分解斜視図である。
【図３】本実施形態の棚部の断面図である。
【図４】本実施形態の導光部材の説明図である。
【図５】本実施形態の給電部および受電部の説明図である。
【図６】（Ａ）〜（Ｄ）は、変形例の導光部材の説明図である。
【発明を実施するための形態】
【０００９】
以下、添付図面を参照して、本発明の実施形態について詳細に説明する。
〔冷蔵庫１の構成・機能〕
図１は、本実施形態の冷蔵庫１の全体構成図である。
図１に示すように、本実施形態の冷蔵庫１は、物品１００を収容する収容室２と、収容室２を開閉する扉３と、物品１００が載せられる棚部４とを有する。また、冷蔵庫１は、収容室２内を冷却するための冷却器（不図示）と、冷気を収容室２に循環させるファン（不図示）とを有している。
【００１０】
なお、以下の説明では、図１に示す冷蔵庫１の前後方向の紙面手前側を単に「手前側Ｆ」、紙面奥側を単に「奥側Ｂ」と称する。また、図１に示す冷蔵庫１の左右方向の紙面左側を単に「左側Ｌ」と称し、紙面右側を単に「右側Ｒ」と称する。そして、図１に示す冷蔵庫１の上下方向の紙面上側を単に「上側Ｕ」と称し、紙面下側を単に「下側Ｄ」と称する。
【００１１】
収容室２は、左側Ｌにおける収容面を形成する左側収容面２Ｌと、右側Ｒにおける収容面を形成する右側収容面２Ｒと、を有する。また、収容室２は、上側Ｕにおける収容面を形成する上側収容面２Ｕと、下側Ｄにおける収容面を形成する下側収容面２Ｄと、奥側Ｂにおける収容面を形成する奥側収容面２Ｂと、を有する。さらに、収容室２は、手前側Ｆに設けられてユーザが物品を出し入れするために開口する開口部２１を有する。
そして、収容室２は、左側収容面２Ｌ、右側収容面２Ｒ、上側収容面２Ｕ、下側収容面２Ｄ、奥側収容面２Ｂおよび閉じた状態の扉３によって、物品１００を収容するとともに冷気を閉じ込める空間を形成する。
【００１２】
さらに、収容室２は、棚部４を支持する棚受部２２を有する。棚受部２２は、左側収容面２Ｌ、右側収容面２Ｒおよび奥側収容面２Ｂにそれぞれ取り付けられている。また、棚受部２２は、収容室２において取付位置を変更可能に構成されている。これによって、本実施形態の冷蔵庫１では、棚部４が上下方向において移動可能になっている。
【００１３】
また、収容室２は、棚部４の後述する光源部４１に給電を行う給電部２３を有している。なお、給電部２３については、後に詳しく説明する。
【００１４】
扉３は、本実施形態の冷蔵庫１では、左側Ｌに設けられる左側扉３Ｌと、右側Ｒに設けられる右側扉３Ｒと、を有している。右側扉３Ｒおよび左側扉３Ｌは、それぞれ収容室２の手前側Ｆにて回転可能に設けられる。そして、扉３は、開口部２１を開閉する。
【００１５】
棚部４は、板状の部材であって、棚受部２２に支持される。そして、棚部４は、略水平に設けられ、収容室２にて物品１００が載せられる箇所を形成する。また、本実施形態の棚部４は、棚部４自体が面発光するようになっている。
また、本実施形態の冷蔵庫１では、棚部４は、上下方向において複数段（図１の例では３段）設けられ、各段において、左右一対に設けられる。なお、本実施形態の説明では、各段において、左側Ｌに設けられる棚部４のことを左側棚部４Ｌ、右側Ｒに設けられる棚部４のことを右側棚部４Ｒと区別する場合がある。
【００１６】
続いて、本実施形態の棚部４について詳細に説明する。なお、以下の説明においては、左側棚部４Ｌを代表例として説明する。また、右側棚部４Ｒについては、左側棚部４Ｌと位置関係が対称になること以外は、基本構成は左側棚部４Ｌと同様である。
【００１７】
図２は、本実施形態の棚部４（左側棚部４Ｌ）の分解斜視図である。
図３は、本実施形態の棚部４（左側棚部４Ｌ）の断面図である。
図４は、本実施形態の導光部材４３の説明図である。なお、図４は、棚部４（左側棚部４Ｌ）を下側Ｄから見た図である。
【００１８】
図２に示すように、左側棚部４Ｌは、光を照射する光源部４１と、光源部４１の光を内部にて導光して面発光する導光部材４３とを有する。また、左側棚部４Ｌは、導光部材４３の上側Ｕに積層され、物品が直接的に置かれるガラス部材４５と、導光部材４３とガラス部材４５とを接着する接着層４７（中間層の一例）とを有する。さらに、左側棚部４Ｌは、非接触にて光源部４１に対する給電を受ける受電部４９を有する。
【００１９】
（光源部４１）
光源部４１は、導光部材４３（棚部４）の左右方向における端部に設けられている。そして、光源部４１は、左右方向に沿った向きの光を導光部材４３に対して照射する。
【００２０】
光源部４１は、光を発する複数の光照射部４１１と、複数の光照射部４１１が実装される基板４１２と、少なくとも光照射部４１１および基板４１２を覆う光源筐体部４１３とを有している。
【００２１】
光照射部４１１には、青色発光素子（チップ）と、青色発光素子を収容する収容容器と、青色発光素子を封止するとともに白色発光させるための蛍光材が含有された封止材と、を有する所謂パッケージ型ＬＥＤ（Light Emitting Diode）を用いることができる。さらに、本実施形態では、光照射部４１１は、後述する光触媒塗料を活性化させる波長（例えば、約４００ｎｍ以下（紫外線））を含む光を発光するものを用いている。
【００２２】
複数の光照射部４１１は、左側収容面２Ｌに沿って、前後方向に等間隔に並ぶように配置される。そして、各光照射部４１１による主たる発光方向は、収容室２の左右方向に沿うように設けられる。例えば、左側棚部４Ｌにおいて、光源部４１は、導光部材４３の左側Ｌの端部に設けられており、導光部材４３に対して、右側収容面２Ｒに向けた略水平方向の光を照射する。
なお、本実施形態において、光照射部４１１の主たる発光方向とは、光照射部４１１の配光分布において最も輝度が高くなる角度に沿った方向（光軸）である。
【００２３】
基板４１２は、図示しない配線パターンが形成され、光照射部４１１と、光照射部４１１を駆動する駆動チップ等とが実装される。また、基板４１２は、後述する受電部４９に電気的に接続する。そして、基板４１２は、受電部４９から各々の光照射部４１１までの給電経路を形成する。
【００２４】
光源筐体部４１３は、開口部４１３Ｈを有する箱状の部材である。光源筐体部４１３は、内側に光照射部４１１、基板４１２および受電部４９を収容する。そして、光源筐体部４１３は、開口部４１３Ｈが導光部材４３の後述する左側Ｌを向く端面４３Ｅに対向する。
また、本実施形態では、光源筐体部４１３は、内側に光照射部４１１の光を反射する反射面が設けられている。これによって、光源筐体部４１３は、光照射部４１１から照射された光のうち上側Ｕや下側Ｄに向かう光を反射して、左右方向に沿って進行させる。また、光源筐体部４１３は、ユーザが手前側Ｆから収容室２内を覗いた際に、ユーザに対して光照射部４１１を直接見え難くしている。
【００２５】
なお、本実施形態の光源部４１は、導光部材４３に対して、収容室２の左右方向に沿った向きの光を照射すれば良く、上記の態様に限定されない。例えば、光照射部４１１は、発光素子（チップ）に光学レンズを組み合わせて構成しても良い。この場合においても、光照射部４１１は、主たる光の発光方向が収容室２の左右方向に沿っていれば良い。
【００２６】
（導光部材４３）
図２に示すように、導光部材４３は、内部にて光源部４１の光が透過可能な透明な板状の部材である。そして、導光部材４３は、光源部４１から入射した光を内部にて導光し、導光した光を後述する発光領域４３Ｐにて外部に出す。そして、導光部材４３は、発光領域４３Ｐにて面発光する。
【００２７】
導光部材４３は、上側Ｕを向く面である上側導光面４３Ｕと、下側Ｄを向く面である下側導光面４３Ｄとを有する。また、導光部材４３は、左側Ｌ、右側Ｒ、手前側Ｆおよび奥側Ｂをそれぞれ向く端面４３Ｅを有する。
そして、導光部材４３において、上側導光面４３Ｕ、下側導光面４３Ｄ、および端面４３Ｅは、それぞれ鏡面加工によって表面が磨かれている。
【００２８】
導光部材４３の材料には、例えばアクリル樹脂などの透光性を有する樹脂材を用いている。ここで、汎用的なガラス材（例えば、ソーダ石灰ガラス）を用いて導光する場合には、導光されて外部に出てきた光の色味が、光源が発する光の色味と異なる場合がある。これに対して、透光性を有する樹脂材を用いて導光する場合には、汎用的なガラス材を用いて導光する場合と比較して、光源部４１が発する色と、導光した後に出てくる光の色とでの差が比較的小さくなる。従って、透光性を有する樹脂材を用いて導光する場合は、収容室２内における照明の色の制御が容易となる。
【００２９】
図３に示すように、本実施形態では、導光部材４３の左側Ｌを向く端面４３Ｅに対し、光源部４１から光が略垂直に入射される。そして、導光部材４３は、光の主な進行方向に沿う上側導光面４３Ｕおよび下側導光面４３Ｄにて全反射を生じさせ、光源部４１から入射した光を内部にて導光する。なお、本実施形態の導光部材４３は、後述の発光領域４３Ｐを除いて、内部にて導光される光が外部に出にくくなっている。
【００３０】
さらに、図４に示すように、導光部材４３は、拡散ドット４４が形成される領域であって面状に発光する発光領域４３Ｐと、拡散ドット４４が形成されない非発光領域４３Ｎ（非形成領域の一例）とを有する。
発光領域４３Ｐは、本実施形態では、下側導光面４３Ｄに形成される。本実施形態の発光領域４３Ｐは、導光部材４３内を導光される光を外部に取り出す拡散ドット４４の複数の集合によって構成されている。拡散ドット４４は、鏡面加工が施された導光部材４３の表面よりも光を拡散可能な材料を用いている。本実施形態では、拡散ドット４４は、拡散材料を含有するインクを用いた印刷によって導光部材４３に形成する。
【００３１】
さらに、発光領域４３Ｐは、下側導光面４３Ｄの周縁部に設けられる。本実施形態の発光領域４３Ｐは、下側導光面４３Ｄの周縁部のうち、前後方向の端部および左右方向の端部の全てに設けられる。また、本実施形態では、下側導光面４３Ｄの中央部に、拡散ドット４４を形成しない非発光領域４３Ｎが設けられる。従って、本実施形態では、発光領域４３Ｐは、額縁状に形成される。なお、本実施形態において、発光領域４３Ｐの導光部材４３の最外周から中央部に向けた幅は、導光部材４３の各辺において略同じに形成される。この幅は、特に限定されるものではないが、例えば導光部材４３の最も長い辺の長さに対して約１割程度に設定することができる。
【００３２】
発光領域４３Ｐを構成する各々の拡散ドット４４は、略円形に形成されている。そして、拡散ドット４４は、光源部４１から遠い側においては密に配置され、光源部４１に近い側においては粗に配置される。
これによって、本実施形態では、光源部４１に近い領域では、単位面積当たりに拡散ドット４４が占める面積を比較的小さくし、導光した光を出しにくくしている。一方で、光源部４１から遠い領域では、単位面積当たりに拡散ドット４４が占める面積を比較的大きくし、導光した光を出しやすくしている。
ここで、単純に光源部４１の光量だけに着目した場合には、光源部４１に近いほど光量が大きく、光源部４１から遠いほど光量は少なくなる。そこで、上記のとおり拡散ドット４４のパターンを構成することによって、本実施形態では、光源部４１の光の照射方向における、発光領域４３Ｐの発光の均一化を図っている。
【００３３】
なお、拡散ドット４４は、本実施形態の構成に限定されない。光源部４１に近い領域では、導光した光を外部に出しにくく、光源部４１から遠い領域では、導光した光を外部に出しやすくなっていれば、他の態様でも良い。
また、発光領域４３Ｐは、拡散ドット４４の形成に代えて、非発光領域４３Ｎと比較して表面粗度を粗くし、内部にて導光される光が導光部材４３の外部に出やすくなる構成でも良い。
【００３４】
図４に示すように、非発光領域４３Ｎは、拡散ドット４４が形成されていないため、導光部材４３の内部にて導光される光が外部に出にくい。そのため、非発光領域４３Ｎは、ユーザが見た際に、ほぼ透明に見える。従って、本実施形態の棚部４では、非発光領域４３Ｎの向こう側に位置している物品１００等を、非発光領域４３Ｎを通して視認することが可能になっている。
【００３５】
なお、非発光領域４３Ｎは、導光部材４３の内部にて導光される光が全く外部に出てこない領域を意味するものではない。また、非発光領域４３Ｎは、導光部材４３の内部にて導光する光が、発光領域４３Ｐよりも外部に比較的出にくい低発光領域であっても良い。
【００３６】
（ガラス部材４５）
図３に示すように、ガラス部材４５は、導光部材４３の上側Ｕに設けられる。また、ガラス部材４５の主面のサイズは、導光部材４３および光源部４１と略同じに形成される。そして、ガラス部材４５は、左側棚部４Ｌに物品１００が載せられる際に、物品１００が接触する面となる。ガラス部材４５は、例えば樹脂材と比較して傷がつきにくい。本実施形態では、導光部材４３を樹脂材にて構成している。そこで、本実施形態の左側棚部４Ｌでは、導光部材４３の上側Ｕにガラス部材４５を配置することによって、導光部材４３を損傷から保護している。
【００３７】
また、本実施形態のガラス部材４５は、少なくとも上側Ｕを向く面に、透明な光触媒塗料（例えば、光触媒酸化チタン）が塗布されている。そして、ガラス部材４５は、光源部４１の光が照らされることによって、有機物の分解作用や親水性作用を発揮するようになっている。これによって、本実施形態の棚部４では、防汚、防滴、防曇効果が発揮されるようになっている。
なお、導光部材４３の下側導光面４３Ｄに透明な光触媒塗料を塗布しても良い。これによって、棚部４において、上側Ｕおよび下側Ｄの両面にて、光触媒の効果を発揮させることができる。
【００３８】
さらに、ガラス部材４５の上下方向における厚さＷ１は、導光部材４３の厚さＷ２よりも大きく設定されている（厚さＷ１＞厚さＷ２）。これによって、本実施形態の冷蔵庫１では、予め定められた厚さの左側棚部４Ｌを形成する場合に、導光部材４３の導光性能を確保したまま、左側棚部４Ｌとしての強度が維持される。
【００３９】
ここで、例えば、ガラス材と樹脂材とが同じ厚さである場合、引張強度は、一般的に、ガラス材の方が樹脂材よりも高い。そして、左側棚部４Ｌ全体としての厚さを薄くしようとする場合は、樹脂材である導光部材４３の厚さが薄くなっても、導光部材４３の導光性能に与える影響は小さい。一方で、ガラス材であるガラス部材４５の厚さが薄くなる場合は、強度に与える影響が大きくなる。
そこで、本実施形態では、導光部材４３に対してガラス部材４５を相対的に厚くすることで、棚部４における導光性能の維持と、強度の維持との両立を図っている。
【００４０】
なお、左側棚部４Ｌにおける導光部材４３の手前側Ｆ、右側Ｒおよび奥側Ｂをそれぞれ向く端面４３Ｅは、他の部材に覆われておらず、各々の端面４３Ｅが露出した状態になっている。同様に、左側棚部４Ｌにおけるガラス部材４５は、手前側Ｆ、右側Ｒおよび奥側Ｂを向く各々の端面はそれぞれ他の部材に覆われておらず、各々の端面が露出した状態になっている。これは、右側棚部４Ｒにおいても対称の関係にて同様である。そして、本実施形態では、上記のように構成することで、棚部４の軽量化、低コスト化を図るとともに、物品１００の見やすさを向上させ、また、デザイン上の見栄えを良くしている。
【００４１】
（接着層４７）
図２に示すように、接着層４７には、例えば面状の接着シート（接着材の一例）を用いることができる。本実施形態の接着層４７は、ガラス部材４５の主面のサイズに対応している。従って、接着層４７は、光源部４１および導光部材４３とガラス部材４５との間を全面的に封止する。これによって、光源部４１および導光部材４３とガラス部材４５との間に水分や塵などの異物が侵入することが抑制される。
【００４２】
また、本実施形態の接着層４７の屈折率は、導光部材４３の屈折率よりも小さくなっている。
ここで、上述のとおり、導光部材４３に対して上側Ｕにガラス部材４５が設けられる。本実施形態では、導光部材４３およびガラス部材４５の屈折率は、同程度である。従って、仮に、接着層４７を設けないで導光部材４３とガラス部材４５とを密着させた場合には、導光部材４３の内部を進行する光がガラス部材４５に入射し易くなり、導光部材４３における導光効率が低下する。
これに対し、本実施形態では、導光部材４３の上側導光面４３Ｕに対して接着層４７が設けられることによって、上側導光面４３Ｕにおける全反射が生じ易くなる。その結果として、導光部材４３における導光効率が高められる。
【００４３】
なお、接着層４７は、光源部４１および導光部材４３とガラス部材４５とに対して、全面的に設けられる必要はない。上述したとおり、光源部４１および導光部材４３とガラス部材４５との間への異物の侵入を抑制するという点では、接着層４７を全面的に設けなくても良い。例えば、ガラス部材４５の中央部には接着層４７を設けず、ガラス部材４５は、の最外周から中央部に向けて予め定められた幅だけ接着層４７を設けても良い。すなわち、接着層４７は、額縁状に形成しても良い。この場合、接着層４７の内側であって導光部材４３とガラス部材４５との間には、空気層が設けられた状態になる。
さらに、上記の構成を採用した場合、接着層４７は、上側導光面４３Ｕにおいて導光部材４３の発光領域４３Ｐに対向する箇所にのみ形成するようにしても良い。すなわち、接着層４７は、発光領域４３Ｐと同様な形状とする。これによって、発光領域４３Ｐにより接着層４７の存在を目立ち難くすることができる。
【００４４】
なお、導光部材４３とガラス部材４５との間に、導光部材４３よりも屈折率が低い物質を含む中間層を設けるという観点においては、接着層４７に限定されるものではない。この場合、例えば導光部材４３とガラス部材４５との間に、導光部材４３よりも屈折率が低く、接着性の無い透明シートや透明板材などを設けても良い。そして、導光部材４３とガラス部材４５とは、他の部材によって固定したり、各々の端部を他の材料によって封止したりしても良い。
【００４５】
（受電部４９）
図２に示すように、受電部４９は、給電部２３が発生させる磁界により誘導起電力を生じるコイル４９１と、コイル４９１にて生じた電流を整流して光源部４１に直流電流を供給する供給回路４９２とを有している。そして、受電部４９は、給電部２３が生じさせる磁界によって発生する誘導起電力を光源部４１に供給する。
【００４６】
図５は、本実施形態の給電部２３および受電部４９の説明図である。なお、図５においては、説明の便宜上、給電部２３と、棚部４における導光部材４３および受電部４９とを図示している。
【００４７】
（給電部２３）
図５に示すように、給電部２３は、交流電源２３０にそれぞれ交流接続する第１給電線２３１および第２給電線２３２（２線の一例）を有している。そして、第１給電線２３１および第２給電線２３２は、並行して設けられる。そして、本実施形態の給電部２３は、受電部４９を介して光源部４１に対して非接触による給電を行う。
【００４８】
本実施形態では、第１給電線２３１および第２給電線２３２は、右側収容面２Ｒ（図１参照）にて上下方向に沿い、下側収容面２Ｄ（図１参照）にて左右方向に沿い、左側収容面２Ｌ（図１参照）にて上下方向に沿うように設けられる。そして、第１給電線２３１および第２給電線２３２は、各収容面に跨がって、それぞれ連続した１本の電線にて構成される。また、第１給電線２３１および第２給電線２３２は、冷蔵庫１の奥側Ｂに配置され、後述する棚部４の受電部４９に対向する。なお、本実施形態では、第１給電線２３１と第２給電線２３２との間隔は、受電部４９のコイル４９１の幅（本実施形態では前後方向における幅）よりも大きく設定している。
【００４９】
給電部２３では、図示しない制御部の制御に基づいて、第１給電線２３１および第２給電線２３２に予め定められた周波数の交流電流が流される。そして、第１給電線２３１および第２給電線２３２では、それぞれ磁界が発生する。このとき、第１給電線２３１および第２給電線２３２では、流れる電流の向きが互いに逆になることで、発生する磁界も逆向きになる。ただし、第１給電線２３１および第２給電線２３２がそれぞれ発生させる磁界は、受電部４９のコイル４９１に対して同様な向きで横切る。また、コイル４９１に対する第１給電線２３１と第２給電線２３２との磁界の向きの関係は、交流電流の周波数に応じて電流の向きが変化しても同様である。
【００５０】
なお、第１給電線２３１と第２給電線２３２との間にて受電部４９が位置している限り、受電部４９は、給電部２３から受電することが可能である。この点で、本実施形態の冷蔵庫１では、棚部４を前後方向に移動させても、棚部４における面発光を維持することが可能になっている。
【００５１】
そして、本実施形態では、例えば、棚部４を上下方向に移動させた場合であっても、受電部４９が第１給電線２３１および第２給電線２３２との間に位置する状態が維持される。これによって、棚部４を移動させた場合であっても、棚部４は、受電部４９を介して給電部２３から非接触の給電が行われる。
また、この場合において、本実施形態の光源部４１は、導光部材４３との相対的な位置関係が固定されている。従って、収容室２において棚部４が移動された場合であっても、光源部４１と導光部材４３との位置関係は、予め定めた設計に対してずれることはない。
【００５２】
〔冷蔵庫１の作用〕
以上のように構成される冷蔵庫１では、光源部４１（光照射部４１１）が光を照射することで、光源部４１の光が導光部材４３に入射する。そして、導光部材４３の内部にて導光される光は、発光領域４３Ｐにおいて外部に出てくる。この棚部４における発光領域４３Ｐの面発光によって、例えば棚部４の下側Ｄに置かれている物品１００が照らされる。このように本実施形態の冷蔵庫１では、棚部４が面発光することで、収容室２内に置かれている物品１００による影の影響が最小化され、ユーザが物品１００を見やすくなる。さらに、本実施形態では、光源部４１が収容室２の左右方向に沿って光を照射するため、ユーザに向けて光源部４１の光が直接的に進行することがない。従って、本実施形態の冷蔵庫１では、例えば光源部４１が奥側Ｂに配置されて手前側Ｆに向けて光を照射する場合と比較して、ユーザが光源部４１の光を眩しく感じることが抑制される。
【００５３】
また、例えば光源部４１が手前側Ｆに設けられる場合には、棚部４の手前側Ｆに存在する光源部４１が邪魔となって、ユーザが棚部４を見づらくなる可能性が高くなる。これに対して、本実施形態の冷蔵庫１では、光源部４１が左右方向における端部に設けられているため、光源部４１自体が邪魔にならなくなっている。さらには、本実施形態では、少なくとも棚部４の手前側Ｆにおいて、導光部材４３およびガラス部材４５の端部がそれぞれ他の部材によって覆われていない。従って、ユーザが開口部２１側から収容室２内を覗いた際に、棚部４の手前側Ｆがユーザの視界の邪魔にならず、ユーザは、棚部４を通しても収容室２内部全体を見渡すことができる。
【００５４】
また、本実施形態の冷蔵庫１では、左右方向に沿った光を照射する光源部４１を、左右方向の端部に配置している。従って、本実施形態の冷蔵庫１では、光源部４１を発光させるための給電経路が必要以上に長くなることが抑制される。さらに、本実施形態の冷蔵庫１では、例えば無駄な光路を形成する必要が無く、光源部４１によって導光部材４３を効率良く照らすことができる。
【００５５】
なお、本実施形態の冷蔵庫１においては、右側棚部４Ｒについても、上述した左側棚部４Ｌと対称に発光動作が行われる。そして、右側棚部４Ｒにおいても同様に、ユーザが物品１００を見やすい状態が維持された発光動作が行われる。
【００５６】
また、本実施形態の冷蔵庫１では、上述のとおり、左側棚部４Ｌに設けられる光源部４１は、右側Ｒに向けて光を照射する。そして、左側棚部４Ｌの光源部４１の光の一部は、右側棚部４Ｒに入射する。同様に、右側棚部４Ｒに設けられる光源部４１は、左側Ｌに向けて光を照射する。そして、右側棚部４Ｒの光源部４１の光の一部が、左側棚部４Ｌに入射する。
【００５７】
ここで、左側棚部４Ｌの右側Ｒの端部と、右側棚部４Ｒの左側Ｌの端部とにおいては、それぞれの光源部４１からの距離が最も遠い位置となる。そのため、左側棚部４Ｌおよび右側棚部４Ｒがそれぞれ単独であれば、これらの端部においては、光量が低下しやすい箇所である。これに対して、本実施形態では、右側棚部４Ｒと左側棚部４Ｌとが左右方向において対向する際、右側棚部４Ｒおよび左側棚部４Ｌの一方における光源部４１から最も遠い側における光量の低下が、他方の光源部４１の光によって補完される。結果として、本実施形態の冷蔵庫１では、棚部４全体としての発光の均一化が図られる。
【００５８】
次に、変形例の導光部材４３について説明する。
図６は、変形例の導光部材４３の説明図である。なお、図６においては、左側棚部４Ｌを例に説明する。
本実施形態において、非発光領域４３Ｎを設ける場合に、発光領域４３Ｐは、図４を参照しながら説明したように、額縁状であることに限定されない。
例えば、図６（Ａ）に示すように、発光領域４３Ｐは、導光部材４３の周縁部のうち、導光部材４３の前後方向の端部にて左右方向に延びる２本の帯によって形成しても良い。すなわち、発光領域４３Ｐは、イコールの文字状に形成しても良い。この場合、非発光領域４３Ｎは、導光部材４３の中央部であって、発光領域４３Ｐの内側に形成される。
【００５９】
また、図６（Ｂ）に示すように、発光領域４３Ｐは、導光部材４３の周縁部のうち、導光部材４３の左右方向の端部にて前後方向に延びる２本の帯によって形成しても良い。すなわち、発光領域４３Ｐは、イコールの文字を９０度回転させた形状に形成しても良い。この場合、非発光領域４３Ｎは、導光部材４３の中央部であって、発光領域４３Ｐの内側に形成される。
【００６０】
さらに、図６（Ｃ）に示すように、発光領域４３Ｐは、導光部材４３の周縁部のうち、導光部材４３の前後方向の端部にて左右方向に延びる２本の帯と、導光部材４３の左側Ｌ（光源部４１側）にて前後方向に延びる１本の帯とによって形成しても良い。すなわち、発光領域４３Ｐは、Ｕ字状に形成しても良い。この場合、非発光領域４３Ｎは、導光部材４３の中央部であって、発光領域４３Ｐの内側に形成される。
また、図６（Ｃ）に示す例を右側棚部４Ｒに適用した場合、右側棚部４Ｒは、左側棚部４Ｌと対称の関係になる。そして、左側棚部４Ｌおよび右側棚部４Ｒが左右に並べて配置された際に、左側棚部４Ｌおよび右側棚部４Ｒの両方によって、棚部４全体として額縁状の発光領域４３Ｐが形成される。
【００６１】
さらにまた、図６（Ｄ）に示すように、導光部材４３の中央部に、発光領域４３Ｐが形成され、導光部材４３の周縁部に、非発光領域４３Ｎが形成されるように構成しても良い。
【００６２】
なお、本実施形態では、下側導光面４３Ｄにのみ発光領域４３Ｐを形成する例を用いて説明しているが、これに限定されない。例えば、発光領域４３Ｐは、上側導光面４３Ｕにのみ設けられていても良い。さらに、発光領域４３Ｐは、上側導光面４３Ｕおよび下側導光面４３Ｄの両方にそれぞれ設けられていても良い。
さらには、発光領域４３Ｐは、導光部材４３の上側導光面４３Ｕや下側導光面４３Ｄにおいて全面的に設けられていても良い。
【００６３】
また、光源部４１は、発光領域４３Ｐに対応して、光照射部４１１の配置や数を列方向において異ならせても良い。具体的には、図４に示すように発光領域４３Ｐを額縁状に形成した場合、左右方向において拡散ドット４４の面積（数）が多い箇所においては、光照射部４１１の密度が高くなるようにしても良い。
【００６４】
さらにまた、本実施形態では、光源部４１が収容室２の左右方向に沿った向きの光を導光部材４３に照射するようにしているが、光源部４１の光が直接的にユーザに進行しにくく構成されていれば、この向きに限定されない。例えば、光源部４１は、導光部材４３の左右方向の端部に配置され、上下方向に沿って下側Ｄに向けた光を照射しても良い。この場合、導光部材４３は、光源部４１から下側Ｄに向けて照射された光を左右方向に導光する構造部分を備えていれば良い。
【００６５】
なお、本実施形態では、棚部４に光源部４１（光照射部４１１）を設け、棚部４を移動させる際に、例えば導光部材４３と光源部４１とが一体的に移動する構成としているが、これに限定されない。例えば、棚部４を移動可能に構成しない場合には、棚部４と光源部４１とを分離して構成しても良い。この場合、棚部４は、導光部材４３、ガラス部材４５おび接着層４７で構成し、収容室２に光源部４１を設ける構成にすれば良い。なお、このように構成する場合、光源部４１に対する給電は、非接触方式にすることに限定されない。
上記の構成であっても、光源部４１が収容室２の左右方向に沿った向きの光を照射することで、ユーザが光源部４１の光を眩しく感じることが抑制される。
【００６６】
また、本実施形態の棚部４は、ガラス部材４５と樹脂材を用いた導光部材４３とを貼り合わせた積層構造としているが、この態様に限定されない。例えば、棚部４は、光源部４１の光を導光するガラス材によって構成されていても良い。また、棚部４は、光源部４１の光を導光する単一の樹脂材によって構成されていても良い。
【符号の説明】
【００６７】
１…冷蔵庫、２…収容室、４…棚部、４Ｌ…左側棚部、４Ｒ…右側棚部、２３…給電部、４１…光源部、４３…導光部材、４３Ｄ…下側導光面、４３Ｎ…非発光領域、４３Ｐ…発光領域、４４…拡散ドット、４５…ガラス部材、４７…接着層、４９…受電部、２３１…第１給電線、２３２…第２給電線、４１１…光照射部
【図１】
2018189297.tif 000003
【図２】
2018189297.tif 000004
【図３】
2018189297.tif 000005
【図４】
2018189297.tif 000006
【図５】
2018189297.tif 000007
【図６】
2018189297.tif 000008